(57)【特許請求の範囲】
【請求項１】
空気調和機本体と、
この本体の下部に設けられ、空気の吸込口と吹出口とを有するパネル本体と、前記吸込口に嵌合し昇降可能な吸込グリルとを備えた化粧パネルと、
前記化粧パネルから前記吸込グリルを吊り下げる吊り下げ体と、
前記化粧パネルに設けられ、前記吊り下げ体が巻回されるリールと、
昇降駆動モータにより駆動され、該駆動力を前記リールに伝達する駆動軸と、前記吹出口を覆うように配設された回転可能な風向ベーンと、
この風向ベーンを駆動するための風向ベーン駆動モーターと、
運転中に前記吸込グリルの降下動作を行う場合、前記風向ベーン駆動モーターと前記昇降駆動モータとを連動させて駆動し、前記風向ベーンを前記吹出口を覆う位置で停止させる手段と、を備え、前記本体内部の空気の循環を抑制し、前記吸込口から前記吹出口につながる風路内の負圧を低下させて、前記吸込グリルの降下動作を円滑に行うことを特徴とする空気調和機。
【請求項２】
空気調和機本体と、
この本体の下部に設けられ、空気の吸込口と吹出口とを有するパネル本体と、
前記吸込口に嵌合し昇降可能な吸込グリルとを備えた化粧パネルと、
前記化粧パネルから前記吸込グリルを吊り下げる吊り下げ体と、
前記化粧パネルに設けられ、前記吊り下げ体が巻回されるリールと、
昇降駆動モータにより駆動され、該駆動力を前記リールに伝達する駆動軸と、
前記本体に設けられ、ファンを駆動するファンモーターと、
運転中に前記吸込グリルの降下動作を行う場合、前記昇降駆動モータと連動して前記ファンモーターを停止又は逆回転させる手段と、を備え、前記吸込口から前記吹出口につながる風路内の負圧を低下させて、前記吸込グリルの降下動作を円滑に行うことを特徴とする空気調和機。
【発明の詳細な説明】
【０００１】
【発明の属する技術分野】
この発明は、空気調和機に係り、フィルター目詰まり状態においても円滑な吸込グリルの降下動作が行なえ、フィルターの点検、清掃、交換等のメンテナンスが容易で迅速かつ安全に作業できる化粧パネルに関するものである。
【０００２】
【従来の技術】
図６は、例えば実開平３−２０６６８号公報に示された空気調和機を示す断面図であり、図において、１は空気調和機本体、２は熱交換器、３はファンモーター、４はファン、５はドレンパン、６は吊りボルト、７は空気吹出口、１０は化粧パネル、１２は空気吸込口、１３は天井木材、１４は天井、８は空気調和機本体１の両側壁の上部適所に装着されたワイヤー９を内蔵するリールで、そのワイヤー９の下端は止め金具１１に締結されていて、リール８のワイヤー９で化粧パネル１０は吊り下げられる構造となっている。
【０００３】
さて、空気調和機を据え付ける際に、化粧パネル１０を空気調和機本体１に取り付ける時、リール８のワイヤー９を下方に引出し、その先端を下方に置いた化粧パネル１０の止め金具１１に締結する。
ここで化粧パネル１０を軽く上方に持ち上げると、ワイヤー９はリール８に巻取られて化粧パネル１０は上方に移動し空気調和機本体１の位置までいきはめ込まれる。
【０００４】
また、空気調和機本体１の点検の際、化粧パネル１０を下方に移動し、図６の２点鎖線で示した任意の位置で停止する。
また、化粧パネル１０を軽く上方に持ち上げると、ワイヤー９はリール８に巻取られ、化粧パネル１０は元の位置にはめ込まれる。
【０００５】
【発明が解決しようとする課題】
従来の空気調和機は以上のように構成されているので、運転中にフィルターを清掃する場合、ほこり等による目詰まり度合いによりユニット内が負圧となりファン４の吸込力により、昇降駆動装置の駆動軸が回転しても吸込グリルの下降が困難であるという問題点があった。
また、空気調和機の停止操作からファン４の停止による吸込力の低下を待ってから吸込グリルの下降動作をしていては時間がかかるという問題点があった。
【０００６】
この発明は、かかる問題点を解消するためになされたもので、フィルターの点検、清掃、交換等のメンテナンスが容易で迅速かつ安全に作業出来る空気調和機を提供することを目的とする。
【００１０】
【課題を解決するための手段】
この発明に係る空気調和機は、空気調和機本体と、この本体の下部に設けられ、空気の吸込口と吹出口とを有するパネル本体と、吸込口に嵌合し昇降可能な吸込グリルとを備えた化粧パネルと、化粧パネルから吸込グリルを吊り下げる吊り下げ体と、化粧パネルに設けられ、吊り下げ体が巻回されるリールと、昇降駆動モータにより駆動され、駆動力をリールに伝達する駆動軸と、吹出口を覆うように配設された回転可能な風向ベーンと、この風向ベーンを駆動するための風向ベーン駆動モーターと、運転中に吸込グリルの降下動作を行う場合、風向ベーン駆動モーターと昇降駆動モータとを連動させて駆動し、風向ベーンを吹出口を覆う位置で停止させる手段と、を備え、本体内部の空気の循環を抑制し、吸込口から前記吹出口につながる風路内の負圧を低下させて、吸込グリルの降下動作を円滑に行うことを特徴とする。
【００１１】
また、この発明に係る空気調和機は、空気調和機本体と、この本体の下部に設けられ、空気の吸込口と吹出口とを有するパネル本体と、吸込口に嵌合し昇降可能な吸込グリルとを備えた化粧パネルと、化粧パネルから吸込グリルを吊り下げる吊り下げ体と、化粧パネルに設けられ、吊り下げ体が巻回されるリールと、昇降駆動モータにより駆動され、駆動力をリールに伝達する駆動軸と、本体に設けられ、ファンを駆動するファンモーターと、運転中に吸込グリルの降下動作を行う場合、昇降駆動モータと連動してファンモーターを停止又は逆回転させる手段と、を備え、吸込口から吹出口につながる風路内の負圧を低下させて、吸込グリルの降下動作を円滑に行うことを特徴とする。
【００１２】
【発明の実施の形態】
以下、この発明の実施の形態を図面を参照して説明する。
なお、以下に説明する発明の実施の形態において上述の従来の技術と同一又は相当部分は、同一の符号を付してその説明を省略する。
【００１３】
実施の形態１．
図１は実施形態１による空気調和機を示す全体断面図である。
図において、１は内部に熱交換器２，ファンモーター３，ファン４，ドレンパン５などを有する空気調和機本体、１０は空気の吸込口１２と吹出口７とを有するパネル本体１０ａと吸込グリル１０ｂから構成する化粧パネルである。
【００１４】
そして、図２は実施形態１による化粧パネル１０の斜視図であり、昇降駆動装置３０の円筒状の駆動軸３１は、回転するよう両端をパネル本体１０ａに保持されると共に、吸込グリル１０ｂと対向してある一定間隔で吸込口１２に配設されている。
【００１５】
駆動軸３１には、ワイヤー３７を巻付け収納するリール３２と、吸込グリル１０ｂと接触可能位置に押圧部材である押圧凸部材３３を取り付けると共に、昇降駆動モータであるモーター３５で駆動するための駆動ローラー３４を備えている。
【００１６】
また、吸込グリル１０ｂは昇降駆動装置３０と吸込口１２の各コーナーに配設したプーリー３６を介してワイヤー３７の止め具３８にて連結されるとともに、フィルター３９を収納している。
【００１７】
以上のように構成することにより、空気調和機本体１の運転状況に応じて昇降駆動装置３０の動作が異なることになる。
まず通常状態で吸込グリル１０ｂの降下動作を行なう場合、モーター３５により駆動軸３１を回転させリール３２を巻き戻し吸込グリル３８の自重により降下させる。
【００１８】
また、図３は実施形態１による化粧パネル断面図であり、フィルター３９が空気中のゴミなどにより目詰まりしている状態で降下動作を行なう場合、ある一定条件になるとファン４の回転中は空気調和機本体１の風路内部が負圧となり、フィルター３９が吸引保持される。
【００１９】
この吸引保持力はファン４の回転による風量、フィルター３９の目詰まり度合、吸込グリル１０ｂの重量の３要素により決定されるものである。
【００２０】
フィルター３９が空気中のゴミなどにより目詰まりしている状態で降下動作を行なう場合は、駆動軸３１の回転とともに押圧凸部材３３の凸部３３ａが吸込グリル１０ｂのある一端に設けたリブ４０に接触し下降方向に押し出すことにより、吸込口１２を確保し吸引力を低下させると同時にリール３２が巻き戻されるため、吸込グリル１０ｂが降下することになる。
【００２１】
また上昇動作については、駆動軸３１の回転とともにリール３２がワイヤー３７を巻き取り、吸込グリル１０ｂを所定の位置まで上昇させ、その際、押圧凸部材３３の凸部３３ａは吸込グリル１０ｂのリブ４０と接触しない所定位置に停止する。これは押圧凸部材３３の回転位置と吸込グリル１０ｂの収納所定位置からリール３２までのワイヤー３７の長さを設定することにより、両者は一定の関係寸法を保ち回転動作を行なうことになる。
【００２２】
上述の実施形態１によれば、モーター３５の動力をリール３２に伝達する駆動軸３１にワイヤー３７を巻き戻して吸込グリル１０ｂの降下方向に押圧する補助的動作を行なうために、フィルター３９目詰まり状態においても円滑な吸込グリル１０ｂの降下動作が行なえ、フィルター３９の点検、清掃、交換等のメンテナンスが容易で迅速かつ安全に作業できる効果がある。
【００２３】
実施の形態２．
上記実施形態１では、吸込グリル１０ｂを風路内に配設した昇降駆動装置３０と吸込口１２の各コーナーに配設したプーリー３６を介してワイヤー３７にて連結した取付位置構成としたが、図４に示すように昇降駆動装置３０を吸込口１２の端部に配置し昇降駆動装置３０と吸込グリル１０ｂを直接ワイヤー３７にて連結することにより、構成の簡略化と風路内の空気の乱流を抑制することによる低騒音化が図れる。
【００２４】
実施の形態３．
図５は実施形態３による空気調和機を示す断面図であり、昇降駆動装置３０である円筒状の駆動軸３１は、回転するよう両端をパネル本体１０ａに保持されるとともに、吸込グリル１０ｂと対向してある一定間隔で吸込口１２に配設されており、その駆動軸３１にはワイヤー３７を巻付け収納するリール３２とモーター３５で駆動するための駆動ローラー３４を備えている。
【００２５】
また、吸込側の吸込口１２には、昇降駆動装置３０とプーリー３１を介してワイヤー３７の止め具３８にて連結しフィルター３９を収納した吸込グリル１０ｂが配設されおり、吹出側は吹出口７を覆うよう回転可能に配設した風向ベーン４１とそれを駆動するための風向ベーン駆動モーター４２を設けている。
【００２６】
この実施の形態においては、吸込グリル３８の降下動作を行なう場合、風向ベーン駆動モーター４２と昇降駆動装置３０のモーター３５をそれぞれ駆動し、まず風向ベーン４１をある所定位置から化粧パネル１０の吹出口７を覆う位置に停止させ、ファン４が回転中においても空気の循環を抑制し風路内の負圧を低下させる。
【００２７】
これにより吸込グリル３８の吸引保持力を低下させることにより、昇降駆動装置３０の駆動軸３１を回転させワイヤー３７を巻き戻し吸込グリル３８の自重で降下させることになる。
また、上昇動作は前記の逆動作となる。
【００２８】
上述の実施の形態３によれば、風向ベーン４１で化粧パネル１０の吹出口７を覆うことにより、吸込グリル１０ｂからの空気の循環を抑制し風路内の負圧を低下させることにより吸込グリル１０ｂの吸引保持力が低下するため、フィルター３９目詰まり状態においても円滑な吸込グリル１０ｂの降下動作が行なえ、フィルター３９の点検、清掃、交換等のメンテナンスが容易で迅速かつ安全に作業できる効果がある。
【００２９】
実施の形態４．
上記実施形態３では、空気調和機本体１の風路内の負圧を低下させる手段として風向ベーン４１と昇降駆動装置３０を連動させるようにしたが、本実施形態においては吸込グリル１０ｂを下降させる場合、昇降駆動装置の動作に連動してファンモーター３を即停止または逆回転させることにより敏速な下降動作をさせることができる。
【００３２】
【発明の効果】
この発明に係る空気調和機は、運転中に吸込グリルの降下動作を行う場合、昇降駆動モータと連動してファンモーターを停止又は逆回転させる手段とを備えたことにより、吸込グリルからの空気の循環を抑制し風路内の負圧を低下させて吸込グリルの吸引保持力が低下するため、フィルター目詰まり状態においても円滑な吸込グリルの降下動作が行なえ、フィルターの点検、清掃、交換等のメンテナンスが容易で迅速かつ安全に作業できる効果がある。
【００３３】
また、この発明に係る空気調和機は、運転中に吸込グリルの降下動作を行う場合、昇降駆動モータと連動してファンモーターを停止又は逆回転させる手段とを備えたことにより、吸込グリルからの空気の循環を抑制し風路内の負圧を低下させて吸込グリルの吸引保持力が低下するため、フィルター目詰まり状態においても円滑な吸込グリルの降下動作が行なえ、フィルターの点検、清掃、交換等のメンテナンスが容易で迅速かつ安全に作業できる効果がある。
【図面の簡単な説明】
【図１】  この発明の実施の形態１における空気調和機全体を示す断面図である。
【図２】  実施の形態１における空気調和機の化粧パネルを示す斜視図である。
【図３】  実施の形態１における空気調和機の化粧パネルを示す断面図である。
【図４】  実施の形態２における空気調和機の化粧パネルを示す断面図である。
【図５】  実施の形態３における空気調和機の化粧パネルを示す断面図である。
【図６】  従来の空気調和機を示す断面図である。
【符号の説明】
１  空気調和機本体、７  吹出口、１０  化粧パネル、１０ｂ  吸込グリル、１２  吸込口、３０  昇降駆動装置、３１  駆動軸、３２  リール、３３  押圧凸部材、３５  モーター、３７  ワイヤー、３９  フィルター、４１  風向ベーン、４２  風向ベーン駆動モーター。
【図１】
0003946350.tif 000002
【図２】
0003946350.tif 000003
【図３】
0003946350.tif 000004
【図４】
0003946350.tif 000005
【図５】
0003946350.tif 000006
【図６】
0003946350.tif 000007